(57)【要約】【課題】隅部がない略楕円状の形状の容器を用いることによって、より簡単で、より迅速に、餌を混ぜたり、餌を取り出したりすることができるバッカンインナーおよびそのバッカンインナーを含むバッカンバケツを提供すること。【解決手段】釣り用撒き餌を収容するバッカンバケツの内部に配置するバッカンインナーであって、前記バッカンバケツの上端部に載置する取付部と、前記取付部が保持する餌収容部とを有し、前記餌収容部は、上面が開口し、底面が隅部のない略楕円状の形状の容器である、ことを特徴とするバッカンインナー。【選択図】図５
0003205964.tif 000002
【実用新案登録請求の範囲】
【請求項１】
釣り用撒き餌を収容するバッカンバケツの内部に配置するバッカンインナーであって、
前記バッカンバケツの上端部に載置する取付部と、
前記取付部が保持する餌収容部と
を有し、
前記餌収容部は、上面が開口し、底面が隅部のない略楕円状の形状の容器である、
ことを特徴とするバッカンインナー。
【請求項２】
請求項１に記載のバッカンインナーを含むバッカンバケツであって、
前記取付部は、前記バッカンバケツの上端面の外縁形状に沿った環状形状で、前記上端面の上面に載置され、
前記餌収容部は、前記取付部が保持した状態で、前記バッカンバケツの収納部材の内部に配置される、
ことを特徴とするバッカンバケツ。
【考案の詳細な説明】
【技術分野】
【０００１】
本考案は、釣り用撒き餌を収容するバッカンインナーおよびそのバッカンインナーを含むバッカンバケツに関する。
【背景技術】
【０００２】
釣り用撒き餌を収容するバッカンバケツにおいて、外装も内装も角型のバケツが知られている。
【０００３】
特許文献１には、上方が開口した略角筒状で柔軟なバケツ本体の開口縁に蓋を開閉具を介して開閉自在に装着した釣り用の撒き餌バケツであって、蓋を硬質材にて形成するとともにバケツ本体の一側面に沿って折りたたみ自在に形成し、折たたまれた蓋の長さをバケツ本体の高さに略等しくするとともにバケツ本体の一側面に折りたたまれた蓋を保持する保持手段を備えて成ることを特徴とする釣り用の撒き餌バケツ（バッカンバケツ）に関する技術を開示している。
【先行技術文献】
【特許文献】
【０００４】
【特許文献１】特開２０００−００００４１号公報
【考案の概要】
【考案が解決しようとする課題】
【０００５】
しかしながら、特許文献１に開示されている技術では、餌と配合餌を混ぜるときなどにバケツの内側の隅まで効率よく混ぜ合わせることができない場合があった。また、特許文献１に開示されている技術では、餌をすくう際に、餌がバケツの隅に寄っている場合に餌を取り出し（掬い）難かったり、餌と配合餌とが正しく混ぜ合わさっていない餌を取り出してしまう場合があった。更に、釣りが趣味からスポーツ化しようとしている昨今においては、より簡単で、より早く、餌を混ぜたり、餌を取り出したりできることが求められている。
【０００６】
本考案は、釣り用撒き餌を収容するバッカンインナーおよびそのバッカンインナーを含むバッカンバケツであって、隅部がない略楕円状の形状の容器を用いることによって、より簡単で、より迅速に、餌を混ぜたり、餌を取り出したりできるバッカンインナーおよびそのバッカンインナーを含むバッカンバケツを提供することを目的とする。
【課題を解決するための手段】
【０００７】
上記課題を解決するために、本考案の一つの実施形態は、釣り用撒き餌を収容するバッカンバケツの内部に配置するバッカンインナーであって、前記バッカンバケツの上端部に載置する取付部と、前記取付部が保持する餌収容部とを有し、前記餌収容部は、上面が開口し、底面が隅部のない略楕円状の形状の容器である、ことを特徴とするバッカンインナーを提供する。
【０００８】
本考案の他の実施形態は、上記のバッカンインナーを含むバッカンバケツであって、前記取付部は、前記バッカンバケツの上端面の外縁形状に沿った環状形状で、前記上端面の上面に載置され、前記餌収容部は、前記取付部が保持した状態で、前記バッカンバケツの収納部材の内部に配置される、ことを特徴とするバッカンバケツであってもよい。
【考案の効果】
【０００９】
本考案にバッカンインナーまたはそのバッカンインナーを含むバッカンバケツによれば、隅部がない略楕円状の形状の容器を用いることによって、より簡単で、より迅速に、餌を混ぜたり、餌を取り出したりすることができる。
【図面の簡単な説明】
【００１０】
【図１】本考案の実施形態に係るバッカンインナーを用いるバッカンバケツを説明する説明図である。
【図２】本考案の実施形態に係るバッカンインナーの使用例を説明する説明図である。
【図３】本考案の実施形態に係るバッカンインナーの一例を示す斜視図である。
【図４】本考案の実施形態に係るバッカンインナーの一例を示す正面図である。
【図５】本考案の実施形態に係るバッカンインナーをバッカンバケツに収納した状態を説明する説明図である。
【考案を実施するための形態】
【００１１】
実施形態に係るバッカンインナーまたはバッカンバケツの例を用いて、本考案を説明する。なお、本考案は、以後に説明するバッカンインナーまたはバッカンバケツ以外でも、釣り用の餌を持ち運ぶ（収納、収容など）ものであれば、いずれのものにも用いることができる。なお、バッカンインナーおよびバッカンバケツの素材、色は、特に限定されない。バッカンインナーおよびバッカンバケツの素材、色は、例えば使用者（消費者）の趣味趣向に合わせた材質、柄のものであってもよい。
【００１２】
以後に、本考案を説明する。
【００１３】
図１乃至図５を用いて、本考案の実施形態に係るバッカンインナーおよびバッカンバケツの構成を説明する。ここで、図１は、本考案の実施形態に係るバッカンインナーを用いるバッカンバケツ１００を説明する説明図である。図２は、本考案の実施形態に係るバッカンインナー１０の使用例を説明する説明図である。図３は、本考案の実施形態に係るバッカンインナー１０の一例を示す斜視図である。図４は、本考案の実施形態に係るバッカンインナー１０の一例を示す正面図である。図５（ａ）は、本考案の実施形態に係るバッカンインナー１０をバッカンバケツの収納部材１００Ｂに収納した状態を説明する説明図（正面図）である。図５（ｂ）は、本考案の実施形態に係るバッカンインナー１０をバッカンバケツの収納部材１００Ｂに収納した状態を説明する説明図（側面図）である。
【００１４】
なお、図１等に示すバッカンインナーおよびバッカンバケツの構成等は一例であり、本考案は図１等に示すバッカンインナーまたはバッカンバケツに限定されるものではない。
【００１５】
図１に示すように、本考案に係るバッカンバケツ１００は、角型の外形を有するもので、その内部に釣り用の餌を収納するものである。バッカンバケツ１００は、本実施形態では、開閉可能（または取り外し可能）な蓋部材１００Ａと、内部が空洞で上部が開口した収納部材１００Ｂとで構成される。
【００１６】
図２に示すように、本考案に係るバッカンバケツ１００の収納部材１００Ｂは、その内部にバッカンインナー１０を配置される。ここで、バッカンインナー１０とは、釣り用撒き餌を収容する容器である。これにより、本考案に係るバッカンバケツ１００は、バケツの外形に関係なく、所望の形状の容器（バッカンインナー）で釣り用撒き餌を収容することができる。
【００１７】
図３および図４に示すように、本考案に係るバッカンインナー１０は、上面が開口し、底面が隅部のない略楕円状の形状で、釣り用撒き餌を収容する容器である。図４に示すように、バッカンインナー１０は、本実施形態では、バッカンバケツ（図２の収納部材１００Ｂ）の上端部に載置する取付部１１と、取付部１１が保持する餌収容部１２とを備える。
【００１８】
図４に示すように、本考案に係るバッカンインナーの取付部１１は、バッカンバケツの上端面の外縁形状に沿った環状形状である。また、バッカンインナーの取付部１１は、餌収容部１２を保持する。これにより、図２に示すように、本考案に係るバッカンインナー１０は、取付部１１を用いて、バッカンバケツの収納部材１００Ｂの上端面の上面に載置することができる。また、本考案に係るバッカンインナー１０は、取付部１１を用いて、バッカンバケツの収納部材１００Ｂの内部に、餌収容部１２を保持することができる。
【００１９】
図４に示すように、本考案に係るバッカンインナーの餌収容部１２は、上面が開口し、底面が隅部のない略楕円状の形状の容器である。餌収容部１２は、取付部１１が保持した状態で、バッカンバケツの収納部材の内部に配置される。具体的には、バッカンインナー１０は、図５（ａ）および図５（ｂ）に示すように、バッカンバケツの収納部材１００Ｂの内部に収納される。これにより、本考案に係るバッカンバケツは、バッカンインナーを用いて、釣り用撒き餌を収容することができる。また、本考案に係るバッカンバケツは、隅部がない略楕円状の形状の容器であるバッカンインナーを用いることができるので、より簡単で、より迅速に、餌を混ぜたり、餌を取り出したりすることができる。なお、バッカンインナーの形状やバッカンインナーとバッカンバケツのクリアランスなどは、実験、計算などで予め定められる形状及び位置とすることができる。
【００２０】
以上のとおり、本考案に係るバッカンインナーおよびバッカンインナーを含むバッカンバケツによれば、隅部がない略楕円状の形状の容器（バッカンインナーの餌収容部）を用いることによって、より簡単で、より迅速に、餌を混ぜたり、餌を取り出したりできる。また、本考案に係るバッカンインナーおよびバッカンインナーを含むバッカンバケツによれば、隅部がない略楕円状の形状の容器（バッカンインナーの餌収容部）を用いることによって、餌と配合餌を混ぜるときなどに効率よく混ぜ合わせることができる。また、本考案に係るバッカンインナーおよびバッカンインナーを含むバッカンバケツによれば、隅部がない略楕円状の形状の容器（バッカンインナーの餌収容部）を用いることによって、利用者が餌をすくう際に、餌が隅に寄って取り出し（掬い）難いことを防止し、餌と配合餌とが正しく混ぜ合わさっていない餌を取り出してしまうことを防止することができる。更に、本考案に係るバッカンインナーおよびバッカンインナーを含むバッカンバケツによれば、隅部がない略楕円状の形状の容器（バッカンインナーの餌収容部）を用いることによって、釣りが趣味からスポーツ化しようとしている昨今においては、より簡単で、より早く、餌を混ぜたり、餌を取り出したりできる。
【００２１】
また、本考案に係るバッカンインナーおよびバッカンインナーを含むバッカンバケツによれば、隅部がない略楕円状の形状の容器（バッカンインナーの餌収容部）を用いることによって、より簡単で、より早く、餌を混ぜたり、餌を取り出したりできるので、釣りをするための準備時間と体力を削減し、釣果に良い結果を与えることができる。また、本考案に係るバッカンインナーおよびバッカンインナーを含むバッカンバケツによれば、バッカンインナーを用いてバッカンバケツの内部構造を容易に変えることができるので、バッカンバケツを買い換えずに済む。また、本考案に係るバッカンインナーおよびバッカンインナーを含むバッカンバケツによれば、隅部がない略楕円状の形状の容器（バッカンインナーの餌収容部）を用いることによって、より簡単で、より早く、餌を混ぜたり、餌を取り出したりできるので、バッカンバケツはただの物入れではなく、釣果を上げる為の道具であり、釣りにおいての準備や片付けの時間短縮ができ、取り外しも容易にできる。また、本考案に係るバッカンインナーおよびバッカンインナーを含むバッカンバケツによれば、隅部がない略楕円状の形状の容器（バッカンインナーの餌収容部）を用いることによって、撒き餌杓で撒き餌をすくう際に四隅が無いのでボール状態の底の中心部に撒き餌が集まることで餌をスムーズにすくうことができる。
【００２２】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２３】
１０  ：  バッカンインナー
１１  ：  取付部
１２  ：  餌収容部
１００  ：  バッカンバケツ
１００Ａ：  バッカンバケツの蓋部材
１００Ｂ：  バッカンバケツの収納部材
【図１】
0003205964.tif 000003
【図２】
0003205964.tif 000004
【図３】
0003205964.tif 000005
【図４】
0003205964.tif 000006
【図５】
0003205964.tif 000007